(57)【要約】【課題】本発明は、スタートレバーに制動手段を設けることによってソレノイドによるスタートレバーの押し上げ、あるいは引き下げを防止することを可能とするスロットマシンにおけるスタートレバー不正防止具を提供することを目的とするものである。【解決手段】本発明は、軟質ゴム素材より形成される環状部５をスロットマシン本体１より突出する作動軸２に、その下端面がスロットマシン本体１の外壁面に接合された状態で装着することにより、ソレノイドによる不正行為を防止するものである。【選択図】        図７
2004298551.tif 000002
【特許請求の範囲】
【請求項１】
表示状態が変化可能な複数のスロット表示部を有し、該スロット表示部をスロットマシン本体より突設されるスタートレバーの作動により可変表示させ、前記スロット表示部の表示結果が所定の表示状態となった場合に所定の入賞が発生するスロットマシンにおいて、
前記スタートレバーに、ソレノイドによるスタートレバーの作動を抑止させる抑止手段を備える
ことを特徴とするスロットマシンにおけるスタートレバー不正防止具。
【請求項２】
前記抑止手段としてスロットマシン本体より突出されるスタートレバーの軸部に軟質素材より形成される環状部を設けた
ことを特徴とする請求項１記載のスロットマシンにおけるスタートレバー不正防止具。
【請求項３】
前記抑止手段としてスロットマシン本体より突出されるスタートレバーが被包される軟質素材より形成される冠体部を設けた
ことを特徴とする請求項１記載のスロットマシンにおけるスタートレバー不正防止具。
【請求項４】
前記抑止手段としてスロットマシン本体より突出されるスタートレバーの先端が開放された状態で被包される軟質素材より形成される冠体部を設けた
ことを特徴とする請求項１記載のスロットマシンにおけるスタートレバー不正防止具。
【請求項５】
前記抑止手段に電波を吸収させる機能を設ける
ことを特徴とする請求項１、２、３又は４記載のスロットマシンにおけるスタートレバー不正防止具。
【発明の詳細な説明】
【０００１】
【発明の属する技術分野】
本発明はスロットマシンにおけるスタートレバー不正防止具に関する。詳しくはソレノイドと体感器との組み合わせによりスタートレバーを操作して強制的に大当たりを引き当てることを防止するスロットマシンにおけるスタートレバー不正防止具に係るものである。
【０００２】
【従来の技術】
遊技用としてのスロットマシンとして、例えば表示状態が変化可能な可変表示装置を有し、可変表示装置の表示結果が導出表示されることにより１ゲームが終了し、この表示結果が所定の表示態様となった場合に所定の入賞が発生するスロットマシンが知られている。
【０００３】
この種のスロットマシンでは、ビッグボーナス入賞やレギュラーボーナス入賞、小役入賞等が発生した場合に、遊技結果価値の一例となるコインが遊技者に付与される。各種入賞が発生する入賞率については、例えば内部コンピューターにプログラミングされた１周約０．０１４５秒の超高速で回るルーレットが設けられ、遊技者がスタートレバーを押した瞬間にルーレットが止まり、当たりかハズレかが決まる構成となっている。
【０００４】
そこで前記ルーレットを制御するＲＡＭを電波等の不正ノイズによって入賞率の高い設定に変更する不正行為が行われる場合がある。
【０００５】
この不正行為を防止する手段として、例えば図１３に開示された発明がある（例えば、特許文献１参照。）。この発明は、ＲＡＭの初期化によって入賞率設定が略払出率１００％に対応する設定に自動更新されるスロットマシンにおいて、外部からの不正ノイズを検出可能な不正防止手段を設け、入賞率設定置を記憶しているＲＡＭが初期化された場合（ＳＳ４）には不正ノイズによって初期化されたものか否かを判別し（ＳＳ５）、不正ノイズによる場合にはＲＡＭ内の入賞率設定を最も入賞率が低い「設定１（払出率９５．２％）」に再変更し（ＳＳ６）、その旨を報知手段によって報知する（ＳＳ８）ように構成するものである。
【０００６】
【特許文献１】
特開２０００−２９６２００号公報（要約、第１図参照）
【０００７】
【発明が解決しようとする課題】
しかしながら前記構成の発明では既に各ホールに設置されているスロットマシンに対して対応することができない問題がある。
また、電波等の不正ノイズによる不正行為では必ずしも入賞率の高い設定に変更できるものではなく、不確実性を伴うことにより不正行為の頻度としてはかなり低いのが現状である。
【０００８】
一方最近では内部コンピューターにプログラミングされた１周約０．０１４５秒の超高速で回るルーレットの同じ周期を刻むように設定された体感器と、この体感器の出す信号に合わせて瞬時に駆動棒を押し出す、あるいは引き下げる機構としたソレノイドとを組み合わせ、この駆動棒によってスタートレバーを押し上げる、あるいは引き下げることによってスロットを回転させる。
【０００９】
ここで、体感器が出す信号をゲームごとに一定間隔ずらしながら繰り返すことによって子役が連続して揃いはじめる。そして体感器が出す信号の間隔を微調整しながら繰り返すことによってレギュラーボーナス入賞かビッグボーナス入賞にかかることとなり、ビッグボーナス入賞と同じ周期を刻むように体感器の出す信号を設定することによりソレノイドによってスタートレバーを常にビッグボーナス入賞がかかる状態で駆動させることで連続した当たりを可能とするものである。
【００１０】
このようにホールに設置された既存のスロットマシンに対して不正なノイズを出さずに容易に不正が行われており、現状では何ら防止手段が講じられていないのが現状である。
【００１１】
本発明は、以上の点に鑑みて創案されたものであって、スタートレバーに制動手段を設けることによってソレノイドによるスタートレバーの押し上げ、あるいは引き下げを防止することを可能とするスロットマシンにおけるスタートレバー不正防止具を提供することを目的とするものである。
【００１２】
【課題を解決するための手段】
上記の目的を達成するために、本発明に係るスロットマシンにおけるスタートレバー不正防止具は、表示状態が変化可能な複数のスロット表示部を有し、該スロット表示部をスロットマシン本体より突設されるスタートレバーの作動により可変表示させ、前記スロット表示部の表示結果が所定の表示状態となった場合に所定の入賞が発生するスロットマシンにおいて、前記スタートレバーに、ソレノイドによるスタートレバーの作動を抑止させる抑止手段を備える。
【００１３】
ここで、その上下方向、あるいは全周囲方向への作動によってゲームをスタートさせるスタートレバーの軸部、又はスタートレバーを軟質素材によって被包することで、手による操作では支障無く行うことが可能となる。
【００１４】
そこでソレノイドの駆動棒により前記スタートレバーを押し上げる、あるいは引き下げることによる不正行為を行う場合には、前記スタートレバーの軸部、又はスタートレバーを軟質素材によって被包することでスタートレバーの作動を抑止する、あるいは軟質素材によって衝撃を吸収してソレノイドによるスタートレバーへの作動を防止することとなる。
【００１５】
【発明の実施の形態】
以下、本発明の実施の形態を図面を参酌しながら説明し、本発明の理解に供する。
【００１６】
図１に本発明におけるスロットマシンの不正行為に使用されるソレノイドおよび体感器の一例を示す。
ここで示すソレノイドＡは、内部に設けられる電磁石Ｂに通電することにより駆動棒Ｃが突出する機構としたものであり、このソレノイドＡにスロットマシンの内部コンピューターにプログラミングされた１周約０．０１４５秒の超高速で回るルーレットの同じ周期を刻むように設定された体感器Ｄを接続し、この体感器Ｄより出す信号によってソレノイドＡを駆動させる構成とされるものである。
【００１７】
なお、前記ソレノイドは駆動棒が突出する機構のものであるが、この他に電磁石によって駆動棒が引き下がる機構のものも考えられ、この場合にはスタートレバーに釣り糸やピアノ線等を引っ掛けてソレノイドの駆動棒の引き下がる力によってスタートレバーを作動させるものである。
【００１８】
また、図２に示すのは本発明におけるスロットマシンにおけるスタートレバーの一例を示す説明図であり、スロットマシン本体１より作動軸２の先端側が突出され、その先端に球状のボタン部３が装着される。そしてスロットマシン本体１内部において作動軸２の中途が枢支されることでボタン部３を下方向へ押し下げることによって、作動軸２の後端が上方向へ回動して接続端子４に接触して電気回路がＯＮ状態とされる機構とするものである。
【００１９】
なお、本実施例で示すスタートレバーの機構の他に、作動軸部の後端に赤外線センサーが設けられ、作動軸部の基端が全方位方向へ回動することで赤外線センサーが感知して電気回路がＯＮ状態とされる機構とするもの、あるいは押しボタン式機構もあり、スロットマシンの機種によって種々の機構のスタートレバーが考えられるものである。
【００２０】
次に、図３に本発明のスロットマシンにおけるスタートレバー不正防止具の一例を示す説明図を示す。
ここで示す抑止手段とされる環状部５は、電波を吸収する機能を有するフェライト材粉末を混合した軟質ゴムより形成される。この環状部５はスロットマシン本体より突出するスタートレバーの作動軸（図示せず。）長さと略同長とされると共に、作動軸の外径と略同径とされる開口部６が形成された構成とされるものである。
【００２１】
更に環状部５の外周面の上下端から開口部６に向けて切目７が切欠されており、スタートレバーの作動軸への装着の際には、切目７を開いて作動軸に開口部６を嵌め合わせて切目７端部同士を接着剤などによって接合する構成とするものである。
【００２２】
又図４に示すように、環状部５の上部開口縁に沿って複数の突起部１２を形成し、この突起部１２がスタートレバーのボタン部（図示せず。）の球体面に当接することによってスタートレバーの作動を抑止する構成とするものである。
【００２３】
また、図５に本発明のスロットマシンにおけるスタートレバー不正防止具の他の例を示す説明図を示す。
ここで示す抑止手段とされる環状部５は、電波を吸収する機能を有するフェライト材粉末を混合した軟質ゴムより形成される。この環状部５はスロットマシン本体より突出するスタートレバーの作動軸（図示せず。）および作動軸の先端に装着される球状のボタン部（図示せず。）の基部面に接するように、その上端に凹部１１が形成されると共に、作動軸の外径と略同径とされる開口部６が形成された構成とされるものである。
【００２４】
更に本発明のスロットマシンにおけるスタートレバー不正防止具の一例と同様に、環状部５には切目７が切欠されており、スタートレバーの作動軸への装着の際には、切目７を開いて作動軸に開口部６を嵌め合わせて切目７端部同士を接着剤などによって接合する構成とするものである。
【００２５】
また、図６に本発明のスロットマシンにおけるスタートレバー不正防止具の他の例を示す説明図を示す。
ここで示す抑止手段とされる冠体部８は、電波を吸収する機能を有するフェライト材粉末を混合した軟質ゴムより形成される。
この冠体部８は、スロットマシン本体１より突出するスタートレバーの作動軸２および作動軸２の先端に装着される球状のボタン部３を被包する如き釣鐘形状に形成されるものである。
【００２６】
そして冠体部８の下部開口端には鍔部９が周設され、この鍔部９とスロットマシン本体１外壁面とを接着剤などによって接合することで冠体部８を取り付ける構成とするものである。
【００２７】
また、図７に本発明のスロットマシンにおけるスタートレバー不正防止具の他の例を示す説明図を示す。
ここで示す抑止手段とされる冠体部８は、電波を吸収する機能を有するフェライト材粉末を混合した軟質ゴムより形成される。
この冠体部８は、スロットマシン本体１より突出するスタートレバーの作動軸２および作動軸２の先端に装着される球状のボタン部３の先端が突出した如き筒状に形成されるものである。
【００２８】
そして冠体部８の下部開口端には鍔部９が周設され、この鍔部９とスロットマシン本体１外壁面とを接着剤などによって接合することで冠体部８を取り付ける構成とするものである。
【００２９】
又図８に示すように、押しボタン式のスタートレバー１０においては、スロットマシン本体１より突出するボタン部３を、冠体部８によって被包して、鍔部９とスロットマシン本体１外壁面とを接着剤などによって接合することで冠体部８を取り付ける構成とするものである。
【００３０】
ここで、抑止手段とされる環状部および冠体部は必ずしも軟質ゴムで形成する必要性は無く、ソレノイドでスタートレバーを突いた場合にスタートレバーの作動を抑止する、あるいはソレノイドによる衝撃を吸収するものであれば、シリコーン、発泡ウレタン、プラスチックなどのいかなる素材であっても良い。
【００３１】
また、電波を吸収させる機能としては必ずしもフェライト材粉末を用いる必要性は無く、不正ノイズを吸収する磁性材であればいかなる素材であっても良いが、加工性および機能性に優れたフェライト粉末を用いることが好ましい。
【００３２】
なお、電波を吸収させる機能を設けずに軟質ゴムなどの軟質素材によって環状部および冠体部を形成することによってソレノイドによる不正を排除することができるのは勿論のことである。
【００３３】
また、抑止手段とされる環状部および冠体部の取り付けとしては必ずしも接着剤を使用する必要性は無く、容易に取り付けることができるものであれば、両面テープなどいかなるものであっても構わない。
【００３４】
更に本実施例では環状部においては、作動軸への装着の際には、切目を開いて作動軸に開口部を嵌め合わせて切目端部同士を接着剤などによって接合する機構を述べてきたが、切目を設けずに、作動軸よりボタン部を取り外して作動軸に環状部の開口部を差し込んで装着する場合も考えられ、切目を設けることに限定するものではない。
【００３５】
以上の構成より成る本発明では図９に示すように、前記本発明のスロットマシンにおけるスタートレバー不正防止具の一例で示す環状部５をスロットマシン本体１より突出する作動軸２に、その下端面がスロットマシン本体１の外壁面に接合された状態で装着するものである。
【００３６】
そこでスタートレバー１０を操作する場合に、遊技者の手の力による操作ではゲームに何ら支障がなく行えるものであり、ソレノイドＡの駆動軸Ｃによりスタートレバー１０のボタン部３を突き上げる場合には、環状部５が駆動軸Ｃによる作動軸２への突き上げ力を制動することとなる。
【００３７】
また、図１０に示すように、前記本発明のスロットマシンにおけるスタートレバー不正防止具の他の例で示す環状部５をスロットマシン本体１より突出する作動軸２とボタン部３の下部面に密接する如く取り付け、更に環状部５の下端面をスロットマシン本体１の外壁面に接合するものである。
【００３８】
そこでスタートレバー１０を操作する場合に、遊技者の手の力による操作ではゲームに何ら支障がなく行えるものであり、ソレノイドＡの駆動軸Ｃによりスタートレバー１０のボタン部３を突き上げる場合には、環状部５が作動軸２とボタン部３の下部面に密接する如く装着されているために、駆動軸Ｃによる作動軸２への突き上げ力を制動することとなる。
【００３９】
また、図１１に示すように、前記本発明のスロットマシンにおけるスタートレバー不正防止具の他の例で示す冠体部８をスロットマシン本体１より突出する作動軸２とボタン部３被包する如き取り付け、更に冠体部８の鍔部９の下端面をスロットマシン本体１の外壁面に接合するものである。
【００４０】
そこでスタートレバー１０を操作する場合に、作動軸２とボタン部３が冠体部８内の空間内に置かれた状態であるがために、遊技者の手の力による操作ではゲームに何ら支障がなく行えるものであり、ソレノイドＡの駆動軸Ｃによりスタートレバー１０のボタン部３を突き上げる場合には、冠体部８が駆動軸Ｃによる作動軸２への突き上げ力を吸収して作動軸２およびボタン部３に直接に衝撃が伝わらないこととなる。
【００４１】
また、図１２に示すように、前記本発明のスロットマシンにおけるスタートレバー不正防止具の他の例で示す冠体部８をスロットマシン本体１より突出する作動軸２とボタン部３先端を露出させた状態で取り付け、更に冠体部８の鍔部９の下端面をスロットマシン本体１の外壁面に接合するものである。
【００４２】
そこでスタートレバー１０を操作する場合に、作動軸２とボタン部３が筒状の冠体部８に置かれた状態であるがために、遊技者の手の力による操作ではゲームに何ら支障がなく行えるものであり、ソレノイドＡの駆動軸Ｃによりスタートレバー１０のボタン部３を突き上げる場合には、冠体部８が駆動軸Ｃによる作動軸２への突き上げ力を吸収して作動軸２およびボタン部３に直接に衝撃が伝わらないこととなる。
【００４３】
なお、本実施例ではスタートレバーをソレノイドの駆動軸によって押し上げる形態を示すものであるが、スタートレバーの駆動軸又はボタン部に釣り糸などを引っ掛けてソレノイドの駆動軸によって引き下げる形態もあり、この場合においても本実施例と同様な結果を得ることができるものである。
【００４４】
【発明の効果】
以上述べて来た如く本発明によれば、抑止手段としてスタートレバーの作動軸に軟質素材より形成される環状部を装着することによって、ソレノイドの駆動軸による駆動力を抑止し、不正行為を防止することが可能となるものである。
【００４５】
また、抑止手段としてスタートレバーの作動軸およびボタン部を被包する冠体部を取り付けることいによって、ソレノイドの駆動軸による駆動力を吸収し、不正行為を防止することが可能となるものである。
【図面の簡単な説明】
【図１】本発明におけるスロットマシンの不正行為に使用されるソレノイドおよび体感器の一例を示す説明図である。
【図２】本発明におけるスロットマシンにおけるスタートレバーの一例を示す説明図である。
【図３】本発明のスロットマシンにおけるスタートレバー不正防止具の環状部の一例を示す説明図である。
【図４】本発明のスロットマシンにおけるスタートレバー不正防止具の環状部の他の例を示す説明図である。
【図５】本発明のスロットマシンにおけるスタートレバー不正防止具の環状部の他の例を示す説明図である。
【図６】本発明のスロットマシンにおけるスタートレバー不正防止具の冠体部の一例を示す説明図である。
【図７】本発明のスロットマシンにおけるスタートレバー不正防止具の冠体部の他の例を示す説明図である。
【図８】図５において、押しボタン式のスタートレバー不正防止具の冠体部の一例を示す説明図である。
【図９】本発明の環状部の一例を使用した場合の作用状態を示す説明図である。
【図１０】本発明の環状部の他の例を使用した場合の作用状態を示す説明図である。
【図１１】本発明の冠体部の一例を使用した場合の作用状態を示す説明図である。
【図１２】本発明の冠体部の他の例を使用した場合の作用状態を示す説明図である。
【図１３】従来の不正ノイズによる防止手段を備えたスロットマシンの一例を示す説明図である。
【符号の説明】
１      スロットマシン本体
２      作動軸
３      ボタン部
４      接続端子
５      環状部
６      開口部
７      切目
８      冠体部
９      鍔部
１０    スタートレバー
１１    凹部
１２    突起部
【図１】
2004298551.tif 000003
【図２】
2004298551.tif 000004
【図３】
2004298551.tif 000005
【図４】
2004298551.tif 000006
【図５】
2004298551.tif 000007
【図６】
2004298551.tif 000008
【図７】
2004298551.tif 000009
【図８】
2004298551.tif 000010
【図９】
2004298551.tif 000011
【図１０】
2004298551.tif 000012
【図１１】
2004298551.tif 000013
【図１２】
2004298551.tif 000014
【図１３】
2004298551.tif 000015